(57)【要約】【課題】衝撃、振動等で破壊するセンサを窓ガラス部材、重要物に添付して損壊、破損を検出し、かつ重要物の落下、貴重品紛失の検知を容易に行えるようにする事。【解決手段】壊れ易く、脆弱な基板上に導電薄膜を形成して一端に電極を設けてＩＣタグで構成したＲＦＩＤ回路部に接続する。異常な力がセンサ基板に加わった時に導電部は遮断するから、ＲＦＩＤによって検出できる。異常値を検知したら微弱電波、光通信によって携帯電話器、情報機器から本人に知らせる。【選択図】図１
2008123468.tif 000002
【特許請求の範囲】
【請求項１】
脆弱で極めて脆く薄い壊れ易い材料で構成した基板の表面に薄膜導電物質塗布し、基板中心部に絶縁層を設けて基板両端を遮断した構造であって、一端に導電体を設けて閉ループを形成する手段と、
もう一方の他端に電極を設けてＲＦＩＤ回路部（無線移動識別素子）に接続して破壊検知センサを構成する手段と、
センサが衝撃を検知したときに該ＲＦＩＤより微弱電波信号が発信して携帯電話器、情報機器に報知することを特徴とする破損、破壊検の方法。
【請求項２】
前記請求項１のセンサ基板は、適度な衝撃、振動によって破壊する脆弱な材料より構成され、例えば超薄型のガラス部材、プラスチック材料、エポキシ材、紙等を成分として、表面にコーテングした導電物質が容易に破断する材料から構成することを特徴とする破損、破壊検知の方法。
【請求項３】
センサ基板上に衝撃、破壊を検知する導電体と、検知制御して信号を発信するＩＣタグ、ＲＦＩＤ回路部、電源部を前記センサ基板と同一上に収納したことを特徴とする破損、破壊検知の方法。
【請求項４】
前記請求項１に記載のセンサ基板の絶縁層の形成は、導電物質を塗布した後にエッチング加工によって構成する手段と、導電物質塗布後機械的な切削によってセンサ面状に絶縁層を設けることを特徴とする破損、破壊検知の方法。
【請求項５】
センサ基盤の背面には、紫外線硬化剤を塗布して窓ガラス体に貼り付けてガラスの損壊、破損検知を行うと伴に、太陽光の照射によってガラス材と密着すること特徴とする破損、破壊検知の方法。
【請求項６】
該センサを重要物に装着しておいて、落下の検出、紛失、盗難の発見に供すること特徴とする破損、破壊検知の方法。
【請求項７】
前記請求項６に記載の重要物の落下、紛失、盗難等の報知を携帯電話器、情報機器によって本人に報知する手段と、該携帯電話器、情報機器に日時、場所の特定を記憶して、後で精査検索できることを特徴とする破損、破壊検知の方法。
【発明の詳細な説明】
【技術分野】
【０００１】  本発明は、窓ガラス部材の破壊と破損の検出のためのセンサの構成に関するものである。
【背景技術】
【０００２】  近年、我が国の国際化と生活様式の変化にともなって善良な家庭が犯罪に巻き込まれたり、気象環境の温暖化によって風水害が多発してきた。犯罪、防災から家宅、オフィスを守る事が急務となった。【０００３】  今までは、地域自治体や近隣住民の善意にすがって対応できたこともあった。さらに警察、消防による公的な警備体制で市民を保護できた側面があった。しかし近年、近隣関係は希薄であって、犯罪、災害の多発から従来のように公的な面、近隣住民の相互扶助に頼れないという課題がある。【０００４】  一方、ＩＴ（ｉｎｆｏｒｍａｔｉｏｎ  ｔｅｃｈｎｏｌｏｇｙ）技術の進展は急速である。特にユビキタス（ｕｂｉｑｕｉｔｏｕｓ）とインターネットの利用は、一般底辺層に拡大した。さらに、携帯電話網の社会への浸透は、凄まじい勢いで波及した。携帯電話機、パソコン（ＰＣ）、ＰＤＡ（ｐｅｒｓｏｎａｌ  ｄｉｇｉｔａｌ  ａｓｓｉｓｔａｎｔ）は、老若男女を問わず各人が所有するまでになった。一般にいうユビキタス（Ｕｂｉｑｕｉｔｏｕｓ）社会である。ユビキタス・コンピューテングあるいは、ユビキタス・ネットワーキングともいう。【０００５】  ユビキタス社会とは、どこにでもコンピュータの能力があって、インターネット（ｉｎｔｅｒｎｅｔ）が付随して情報通信をサポートし、サービスの利便性が一層向上した社会を意味する。我々人類は、多方面に恩恵が受けられる技術である。【０００６】  それに微弱電波の利用が活発になってきた。ブルーツース（ｂｌｕｅｔｏｏｔｈ）や赤外線通信ＩｒＤＡ（ｉｎｆｒａｒｅｄ  ｄａｔａ  ａｓｓｏｃｉａｔｉｏｎ）を利用したホット・スポット（ｈｏｔｓｐｏｔ）の普及も顕著である。これによって、屋内の情報通信は無配線で連絡できる。【０００７】  ホット・スポットは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ：電気電子分野における国際規格を推進する国際電気標準会議）微弱電波を使った無線ＬＡＮである。ＩＥＥＥ８０２．１１ａの５，２Ｇｈｚと８０２．１１ｂの２，４Ｇｈｚが一般的に使われている。【０００８】  又、近年微小ＣＰＵを使ったＩＣタグチップが実用になった。ＩＣタグチップはＲＦＩＤ（ｒａｄｉｏ  ｆｒｅｑｕｅｎｃｙ  ｉｄｅｎｔｉｆｙ  ｄｅｖｉｃｅ：無線移動識別素子）チップともいう。微小な無線応答装置であって、内蔵アンテナを含んでいて１ｍｍ２程度で構成できる。２．５ＧＨｚ帯のものは、到達距離１．５メートルと短いがＵＨＦ（９５０〜９５６ＭＨｚ）帯のＩＣタグチップは、１０メートル以上と長いから本発明の実用化に有効である。今や、交通管制システムにまで応用されている。【０００９】  ガラスの破損、不正侵入には単純な発信回路を付加するだけでも検出はできる。しかし、情報通信網を活用してきめ細かなサービスを迅速に顧客に提供するには、１ｍｍ２中にＣＰＵ，メモリ、アンテナを含んだ微小コンピュータチップのほうが情報量は莫大に多いから有利である。【００１０】  従って、インターネットのような情報通信網を組み合せて使えば顧客に満足させるサービスと安全を提供できる。従来の方法はガラスが破損する時の衝撃波や、ガラスに導電線を張って導電���の切断によって検知していた。いずれも情報通信網との連携は難しいので警報を発する程度であって、かつ誤動作も多く実用に至っていない。【００１１】  そこで本案は、ガラス破損、損壊を正確に検出するセンサの構造の提案を行うものである。本案の特徴は、既設のガラス部材、窓ガラスに貼り付けるだけで防犯、防災ガラスに変身できるという利点をユーザに提供するものである。
【特許文献１】  特開  ２００４−１２７１８０
【特許文献２】  特開平１０−３２６３８５
【非特許文献１】  都甲潔、宮城幸一郎  共著「センサがわかる本」オーム社出版局、（２００２年）ｐｐ．２０−２１，２２−２３
【発明の開示】
【発明が解決しようとする課題】
【００１２】  解決しようとする問題点の一つは、犯罪に対する予防と防衛、財産、生命の安全の確保である。ガラスの破損，破壊検出は従来多様な方式が提案、採用されてきた。しかし、簡単な構造でなく誤作動を起こしやすかった。かつ、既存の設備に取り付けるのが難しいため、構造体全体の交換になって費用が高くなってしまうという欠点があった。【００１３】  簡単で、安価なセンサはユビキタスコンピュータ社会に適用するために不可欠である。単純な構造でであれば誤作動もしないし、検出能力にも優れた効果を発揮する。特に一般家庭に必要とされている。【００１４】  犯罪、故意による窓ガラスの損壊、破損だけでなく、風水害等の防災にも必要である。さらにガラス部材だけでなく、損壊、破損し易い高価な貴金属、重要な物品にも簡便なセンサを必要とする。このような重要物の破損、損壊検知して携帯電話等の情報機器に本人に知らせることができれば、安心できる。
【課題を解決するための手段】
【００１５】  本発明は、上記課題を解決するために薄膜で構成した導電体上に、微小ＩＣタグチップを設けたセンサを構成する。薄膜センサは、例えば適度な衝撃で破損する薄いガラス部材、破壊し易い物質から構成した透明なアクリル部材を使用する。【００１６】  この部材の一端には、ＣＰＵ（ｃｅｎｔｒａｌ  ｐｒｏｃｅｓｓｏｒ  ｕｎｉｔ），メモリ、高周波発信部が一体となったで微小なＩＣタグが接続されている。この構造物を窓ガラスに貼り付けておき、衝撃によってガラスが割れた時に、センサの構造物はいち早く破断する。【００１７】  センサ上の導電性が遮断して、該ＩＣタグは検知する。破断を検知すると高周波発信部から異常を知らせる信号が発信する。受信信号は、ＴＡ（ターミナルアダプタ：無線集端装置）が受信して公衆網、インターネット網から携帯電話、情報機器から本人、責任者に報知される。【００１８】  本案の特徴は、このセンサの構造であって窓ガラス等の構造物に当初から設置しておかなくとも、貼り付けるだけの簡単な物である。薄膜状のガラス部材、アクリル部材、エポキシ部材、紙部材等を本体にしてこの上に導電体とその一端にＩＣタグを備える。【００１９】  このセンサを備えた構造体は、衝撃によって破損、破壊したときに発信する信号機能を有するから、本人、周囲に報知できる。従って、窓ガラスを破って家宅、オフィスに不正侵入したり、重要物を破壊したり、衝撃が加わった時に緊急信号を携帯電話から知る事が出来る。【００２０】  本センサを重要物に装着しておけば、落とした場合とか衝撃が加われば本人の所持している携帯電話から報知できる。又、家宅、オフィスにある重要物に衝撃が加われば、本人の携帯電話に信号が入る。現金を収納してある金庫、書類が故意に、あるいは何らかの原因で衝撃が検知されれば、携帯電話機から報知されるから重要物の管理ができる。
【発明の効果】
【００２１】  本発明による破損、破壊センサは衝撃、振動によって容易に亀裂、損壊しやすい薄い板状物質上に導電層を形成して、ＩＣタグチップをその一端に備えて構成する。ＩＣタグチップは極小で目立たないから透明の薄膜、薄板上に構成してガラス部材等に貼り付けることが可能である。【００２２】  既存の窓ガラス、ドア等に貼り付ければ容易に防犯ガラスにすることができる。新規のガラス構造物に添付すれば当初から防犯ガラス、防災ガラス構造体として新規製品として発売できる。【００２３】  本案によるセンサを現金収納庫、財布、貴重品に装着すれば、落としたり故意にこれらの貴重品を移動、運搬、持ち去ったときにも携帯電話器、情報機器に報知されるから、重要物の管理ができる。【００２４】  本発明は、独居老人、病弱者、乳幼児、児童の監視と保護を目的としてこれらの人々の人体に装着すれば、転倒した時とか賊に襲撃されたときの検出と報知が可能であるから、不慮の事故の防止と防犯に役立つ。【００２５】  そして警察、消防、地域団体と連携していけば、情報通信網を通して、広範囲に防災、防犯に貢献できるシステムが構築できるというメリットがある。かつ安価で超小型であるから普及しやすいという特徴がある。
【発明を実施するための最良の形態】
【００２６】  本発明は、破損破壊を検出するセンサであって、特にガラス部材で構成した窓ガラス、扉、ショーウインド、ショーケース等の破損、破壊を検知して不正侵入、犯罪の予防をおこなって、財産と安全を確保する方法を提供するものである。【００２７】  本発明によるセンサは、基板の強度を故意に脆弱にしてあって衝撃に脆くしてあるからセンサにある導体を破断し易い構造にしてある。ガラス等の破損、破壊だけでなく貴重品等の落下、故意の運搬移動による盗難の検出にも効果を発揮する
【第１実施形態】
【００２８】  図１は、本発明の全体構成を示す。図１（ａ）は全体構成の平面図である。図において、１１はセンサの基板であって透明な超薄型のガラス材、プラスチック、アクリル、紙部材、エポキシ材等で構成する。適度な衝撃があると１１上にある１２の絶縁溝で仕切ってある導体が破壊する。導体が破壊すると電流が遮断されて１４のＩＣタグで構成した検知回路が動作する。
【００２９】  １１の基板の表面は、導電物質をコーテングしてあって１２の溝が絶縁層になっている。１２の絶縁層は、コーテングによって導電膜を形成してからエッチングによって絶縁溝を作る。又はガラス切りのような加工機を使って絶縁溝を形成する。１５，１６は電極でＩＣタグ回路部１４に接続する。
【００３０】  １７は１４の高周波発信回路のアンテナである。１４はＩＣタグを含むセンサ１１の制御部である１１のセンサによって衝撃を検知してガラス等の構造体の破損、破壊を検出する回路部である。１３は透明なマイラ状の薄い柔軟材によって構成している１３トアンテナ１７の収納ケースである。１７のアンテナは、１４で検知した破損、破壊の信号を送るためのものであって、図示していない無線集端装置（ＴＡ）から無線によって、１４に電磁波で電源の無線送信を行う事もできる。
【００３１】  図１（ｂ）は１１の断面図である。図１（ａ）のａ，ａ’から見た図を示す。１９は基板層であって、先に説明したように脆弱なガラス材、エポキシ材等で構成している。１８は導電コーテング層であって、１２は絶縁溝である。１１の背面は紫外線硬化剤が塗布されている。ガラス部材に貼ったときに太陽光を受ければガラス材と密接する効果がある。
【００３２】  図２は、図１の変形例を示す。センサ１１を長くしたい応用例であって、短形のセンサを接続して長く使用する例を示す。図２（ａ）において２１，２２はセンサ基板であって、２５で接合している。２倍の長尺センサの構造になっている。２５は接合部であって導電性の接着剤で接合する。又は、図示していないピン状のバネを使ってメカ機構によって機械的に接合してもよい。
【００３３】  ２３、２４は絶縁溝であって２５の接合部で導電されないで、絶縁されて２１と２２は接合される。したがって２３，２４は一直線で絶縁溝を形成できる。２６は導体であって、２３の絶縁溝と対極した導体の閉ループを作る電極である。
【００３４】  図２（ｂ）は、図２（ａ）の矢印ｂで示した接合部の断面図である。図において２１と２２のセンサ基板層を２５によって接合している。２５は図２（ｂ）に示す接着部である。２５の上面、下面は２７、２８のような導電性の例えば銀蝋のような半田で接着する。
【００３５】  ２１と２２の接合方法として２７，２８のような銀蝋を使わないで、２１と２２をピン状の板材で接合しても導電性は保てる。センサ基板２１，２２を接合していけば目的の長さの基板が自由に構成できるから、多様な構成物の応用に対応できる。
［第２実施形態］
【００３６】  図３はセンサ基板構成の他の構成方法を示した。図２においては中間で短尺のセンサ基板を接合して長尺のセンサ基板を構成した例を説明した。図３においては、絶縁溝３３を中心にして縦方向で接合する例である。従って、接合面は絶縁性接着剤もしくは、絶縁性を保って機構要素で接合する機構要素を採用する。
【００３７】  図３（ａ）は本例の平面図を示した。３３は接着面であって、絶縁層である。３１と３２を接着して該センサを構成している。３１，３２の表面は導電性薄膜コーテングしている。３３は絶縁層であって、接着して形成する。接着剤には絶縁性のある接着剤を使用する。
【００３８】  本例の特徴は、３３の接着面を絶縁層にしてあるから３１と３２を接着すれば絶縁層が形成されて、３４の電極を介して閉ループになる。３１，３２のどこかに衝撃があって破断されて閉ループがオープンになれば、破損、損壊の検知ができる。
【００３９】  図３（ｂ）は図３（ａ）のｃ，ｃ’方向から見た断面図である。３５は３３１，３２の上面、下面にテーパ（斜めに切削）をつけて３１と３２が接着し易いようにしてある。３３は絶縁層であって、３５の接着材は同様に絶縁性の接着剤を使用する。こうする事によって、３１と３２は閉ループを構成できる。
【００４０】  ３１，３２の背面は、先に述べたように紫外線硬化剤が塗布されている。本センサは、ガラス材に接着して使用するから。太陽光が当たるほど密着性は増加する。簡便性を求める場合には、接着テープを３１，３２の背面に貼って応用できる。これはあくまで一時凌ぎであって、展示会、フェア等でショーウインドウ、ガラスケースの保護に一時的に使う場合に供すことができる。
【００４１】  図３（ｃ）は、図３（ａ）のｄ，ｄ’方向から見た断面図である。図３（ｂ）と絶縁層３３の構成は同じである。閉ループの形成のための電極３４が図示していない導電性コーテング層の上に設けている。
［第３実施形態］
【００４２】  図４は破損、損壊センサの構成を変えた他の例を示す。窓ガラス等一体になっている構成物全体を検知しようとするものである。検知目的の構成物においては、自動車用ガラスのように衝撃によって粉々に微塵に砕けないものもある。強化ガラス、強化プラスチック、木材の加工品、金属製等ある。このような部材の破断、損壊の検知には全体をセンサ基板で覆うのが最良である。
【００４３】  現実には不可能であるから、図４の様に周辺をセンサ基板で取り巻いて衝撃を検出する方法を提案する。図４（ａ）は例として板ガラスの平面体の検知を行う。少なくとも、４１，４２，４３，４４，４５からなる５つのセンサ基板から構成される。４１と４５のセンサ基板はＩＣタグ制御回路ボックス１３に接続されている。
【００４４】  図において４６は接着部である。この場合、センサ基板を構造体の四隅に張っているからセンサ基板、４１、４２，４３，４４，４６の導伝層に絶縁溝は必要ない。周辺に張っている事によって、閉ループの形成ができる。
【００４５】  図４（ｂ）は、図４（ａ）のｅ方向から見た断面図である。４７は導電性の接着剤であって、接合をより強固にするために４６は、テーパをつけて接着をしてある。又、４６は先に説明したように機構要素によって、ピン状のバネ材をつかって接合してもよい。
［第４実施形態］
【００４６】  図５はＩＣタグ制御部をセンサ基板上に搭載した利便性の高い構成例である。図５にその構成を示した。図５（ａ）は平面図であって、５１はセンサ基板で、５３は絶縁溝、５２は閉ループ形成のための電極である。
【００４７】  先にも説明してあるが５１のセンサ基板上は導電性物質でコーテングしてある。１４はＩＣタグを格納してある制御部であって、１３は収納ケースであってマイラ状の、あるいは絶縁性のあるプラスチックケースに収納されている。１５，１６は閉ループ用の電極である。
【００４８】  図５（ｂ）は、図５（ａ）の断面図である。５１のセンサ基板上に５４の導電材をコーテングしてある。１３はＩＣタグ制御部であって、マイラ状、プラスチックケースに収納されていて、５５は絶縁層になっている。センサ基板５１の表面は、５４によって導電性の薄膜材がコーテングされている。従って、１３のＩＣ回路部と絶縁されている。なお先にも説明したが、５１の背面には紫外線硬化剤を塗布してある。
［第５実施形態］
【００４９】  図６はセンサ基板のＩＣタグ制御部の格納ケース、ボックスとの接合方法を示した機構図である。１３のＩＣタグ収納ケースにセンサ基板６１を堅実に接合するのが目的である。１４のＩＣタグ制御回路部に確実に接続できるようにバネ材等の部材で構成したピン６３で６１を圧接する。５４は導電材のコーテングである。
【００５０】  図６（ｂ）は、図６（ａ）の平面図である。センサ基板６１をＩＣタグ収納ケース１３に確実に接合するために、両サイドからバネ材のピン６６，６７にて固定する。このように上部、両サイドから固定すれば確実に接合できる。
【００５１】  センサ基板の表面導電コーテング層５４に流れる電流値は微小であるゆえ、ＩＣタグ部との接合は密着させないと、導電不良をおこしてしばしば誤動作の原因になる。それ故にメカ的な圧接機構部は一層の工夫が必要である。
【００５２】  図６（ｃ）は、センサ基板の固定を示す他の方法である。より強固に固定するために６８、６９のバネ材を６１の両サイドから押さえつける。６１を１３に挿入すれば、６８、６９によって圧着される。６１のセンサ基板は、極薄型板であって幅も数ミリと狭い。
【００５３】  ６８，６９のバネ材は、剛性の強い材質を使って図に示すような波型曲線を多く取れば、小さくても強度がとれるから、６１を頑丈に固定できる。又、応用によっては図６（ａ）のように、６１の上下から６８，６９のバネ材で固定してもよい。
［第６実施形態］
【００５４】  図７は１４のＩＣタグ制御部の要部を示したものである。これらはパッケージ１３に収納されている。ＩＣタグは近年脚光を浴びているユビキタス社会に欠かせないごま粒状の微小なコンピュータ素子とＲＦＩＤ素子が合体したものである。その大きさは、０．９ｍｍ×１．１ｍｍ角程度の微細なチップであるから透明なマイラ状フィルムに貼り付けてもほとんど判らない。
【００５５】  図７は１４の内部構成を示したブロック図である。図７において、７１は内部のシステムバスであって、７２は高周波変調部である。高周波電波の発信と受信をおこなう。９００ＭＨＺ、２．４５ＧＨＺのＵＨＦ帯、マイクロ波帯を使うことが多い。又、４００ＭＨＺ帯のセキュリテイバンドを使用する。
【００５６】  ７８はアンテナであってループアンテナもしくは、平面アンテナであるＭＳＡ（マイクロストリップアンテナ）素子であるアンテナ用プリント基板が使われる。ＵＨＦ，マイクロ波帯である故、小さくて済むのが本例のような応用に適する。微小ループアンテナを図６の１３内に設けておけばよい。到達距離は数十ｍに達するから本案の応用には、十分である。
【００５７】  ７３はＣＰＵであって演算、計算をおこなう。７４はメモリでプログラムが書かれていてこれに従ってＣＰＵは実行していく。またこのメモリには、センサ７９より入力したデータを蓄えるデータメモリも備えている。実際には、プログラムメモリ（ＲＯＭ）とデータメモリは個別に存在するが、本例では省略して一つで表している。
【００５８】  ７５はＩＣタグチップと外部とのインタフェースをおこなうＩ／Ｏ（ｉｎｐｕｔ  ｏｕｔｐｕｔ）部である。ここでは破損、破壊検知センサ７９の信号を入力する。７９は図１で示した１１のセンサと同じである。７９のセンサ以外に加速度センサ、圧力センサを設ける事によってより詳細な衝撃の度合いを得る事ができる。
【００５９】  ７６は電源部であって、７７の電池から電源を得るか、７８のアンテナから室内、近くにある無線集端装置から電磁波、誘導波から電源を供給して７７の電池に蓄える事が可能である。
【００６０】  図７にて説明したＩＣタグとＲＦＩＤ素子、アンテナは図１の１３のケースに収納される。図１の１７はアンテナで１４はＩＣタグを含むＲＦＩＤ回路である。センサ１１を含めて微小であるから本案にて説明したように窓ガラスの破損、重要物の保管、落下とうの検出が容易にできて、携帯電話器、情報機器に報知できる。
［第７実施形態］
【００６１】  図８は第７実施形態につき説明した図である。図８の例は実際に窓ガラスの破断した例を示している。図８（ａ）は窓カラスが破られた図である。８１は窓ガラス構成であって、８４はガラス枠を示す。８２はガラス本体であって、８２はガラスが破られた個所を示す。
【００６２】  ８５は錠前でガラス窓のロック機構である。この内側に図示していないＩＣタグを含むＲＦＩＤ回路部１４がある。８６は破損、損壊センサであって図においては誇張して大きく示している。８３はもう一方の窓ガラス材である。
【００６３】  図８（ａ）のガラス破断個所では、錠前８５の近傍のガラスが破られて８５のロック機構を外して賊は侵入した事を示している。８６のセンサは、錠前の近くに設けてあるからこの近傍が破断すればセンサ８６は検知できる。センサ８６から離れた場所を賊が破った時にはセンサ８６が検知できない場合もある。
【００６４】  図８（ｂ）はこのように錠前から離れた所に破断、破られてもセンサが検知できるようにガラス材全体にセンサの導体を張った例である。図４にて示したセンサを設けた例である。強化ガラス材を使用したときには、衝撃が加わった個所しか破断しない場合がある。錠前から離れた位置に穴をあけて賊は、手を伸ばしてロックを解除して侵入する時もある。
【００６５】  このような場合は、図８（ｂ）は有効である。８８は窓ガラスの構成体で、８９は窓ガラス枠、９０はガラス材であって４１，４２，４３，４４，４５はセンサの導体である。１３はＩＣタグ、アンテナ、ＲＦＩＤ回路を収納したケースである。なお、１３に加速度センサ、圧力センサを付加すれば微細な衝撃、振動を検知できる。
【００６６】  圧力センサは半導体圧力センサがあって、ピエゾ素子を使って圧力の変化を電気信号に変えてＩＣタグに入力できる。又、表面弾性波（ＳＡＷ：ｓｕｒｆａｃｅ  ａｃｏｕｓｔｉｃ  ｗａｖｅｓ）素子を使って圧力を電気信号にかえて、異常な圧力がかかった時に警報を発する事ができる。
【００６７】  さらに、加速度センサ、角速度（ジャイロ）半導体センサを図１の１３に設けておけば、微細な振動、衝撃の検知ができる。所定以上の大きさになったら異常値と判定して携帯電話器、情報機器から報知できる。このように小型で安価なセンサの発展によって、ガラス材の破損、破断だけでなく多方面への応用が可能になった。
【００６８】  図９は、センサ１１０をガラス体の周辺に這いまわして、ガラス材枠体に密接した応用例である。１１０は図８（ｂ）にて説明したセンサ４１，４２，４３，４４，４５と同一である。図９（ａ）の例では、ガラス枠体に密接してセンサ１１０を設置してある。
【００６９】  １１０は、１１の導体と接触して回路ユニット１３に導かれる。１１１の詳細図はＡで示すように、図９（ｂ）のとおりである。（ｂ）はセンサ１１０を１１１の形状の接点に接続して、回路部１４に導かれる。
【００７０】  １１は基本的に１１０のセンサ導体であって、１１０と電極１１２、１１３と接続して電極１１４、１１５から回路部１４に接続する。１１はセンサであるから、この部分を損壊してもガラス材の破断は検知される。電極１１２，１１３、の接続方法は図３（ｃ）にて説明したような構造と同じである。
【００７１】  １１４，１１５の電極は、同様に図３（ａ）の１５，１６と同じである。図９の構成の特徴は、枠体８４とセンサ１１０を１１７の接着面によって密接して配置した事にある。ガラス体の構造から、図８か図９を選んで効果を発揮できる。１１６はセンサの絶縁層である。
［第８実施形態］
【００７２】  図１０は、本案を家宅、オフィスに設けてインターネット等の公衆情報通信網と接続して安全の確保と財産の保全を目的にした実施形態を示す。図において１０６は家宅、オフィスを示す。９７は無線アンテナであって特定の施設、例えば警備保障会社、携帯無線基地局との接続に使う。
【００７３】  ９８はインターネット網とうの公衆情報通信網であって、９９は特定業者である携帯無線会社、警備保障会社のウエブサイトである。９６は屋内の微弱無線を受信、発信するアンテナであって、１０６の家宅、オフィスがホットスポットになっている。１０６の内部は微弱電波、ＩｒＤＡ（遠赤外線通信）でインターネットと無線で接続できる。
【００７４】  ９５は９６の室内アンテナから受信した信号を集めて公衆網に接続するための無線集端装置（ＴＡ）である。７９は先に説明したような無線微弱電波、ブルーツース（短距離無線伝送技術）、もしくは光通信であるＩｒＤＡである。
【００７５】  １００，１０１，１０２，１０３，１０４，１０５はガラス窓の構造体であって、９２はこれらのガラス材に設けてある破損、破断センサである。ガラス体が賊によって、あるいは自然災害で破られたときには、携帯電話器等から本人に通報される。また、図示してない警報機、例えばパトライトにような手段を使って音響と警報ようの照明によって周囲に知らせる事もできる。
【００７６】  先にも説明したように、ガラス材の破断だけでなく、本案にて説明したように重要物に該センサを備えておけば、財産の管理、盗難の防止にもなる。携帯電話器を所持していれば、重要物を落としたときにもその衝撃によって携帯電話器より音声アラームを発生したり、落としたときの日時、場所の特定が出来るから見つかり易い。
【００７７】  以上説明したように本案による破損、損壊センサは簡単で、安価な構成で実施できる。ガラス材の破壊による賊の侵入検知だけでなく、重要物の管理、盗難の防止、重要物の落し物の捜索等、防犯、防災に使用できるから極めて有効な手段である。
【図面の簡単な説明】
【００７８】
【図１】  第１実施形態の構成を示したセンサの構造図である。
【図２】  同、他の構成例を示したセンサの構造図である。
【図３】  第２実施形態の構成を示しセンサの構造図である。
【図４】  第３実施形態の構成を示したセンサの構造図である。
【図５】  第４実施形態の構成を示したセンサの構造図である。
【図６】  第５実施形態におけるセンサとＲＦＩＤ回路部との接合機構を示した図である。
【図７】  第６実施形態を示したＲＦＩＤ回路部の図である。
【図８】  第７実施形態を示したガラス材損壊とセンサの関係を示した図である。
【図９】  同、他の実施例である。
【図１０】  第８実施形態を示したシステム構成図である。
【符号の説明】
【００７９】１１、６１                    センサ本体
１２、５３、６２、１１６      絶縁層
１３                          ＲＦＩＤ回路、ＩＣタグ格納ユニット
１４                          ＩＣタグ、ＲＦ回路部
１５、１６、１１４，１１５    センサの電極
１７                          小型ループアンテナ
１８、５４                    導電層
１９                          センサ基板
２１，２２                    接合型センサ本体
２３、２４                    接着型絶縁層
２５                          センサ本体接合部
２６、６４                    導電電極部
２７、２８                    接着用導電材、接合用バネ機構要素
３１、３２                    張り合わせ型センサ本体
３３                          張り合わせ型センサ本体接着部
３４、５２                    導電体電極
３５                          テーパ型接合部、絶縁性接着剤
４１，４２，４３，４４，４５、
１１０                        ループ形状センサ本体
４６                          センサ接合部
４７                          ループ型センサ本体接着部
５１                          ＲＦＩＤ回路部搭載型センサ本体
５５                          回路部絶縁層
６３，６６，６７              センサ固定用バネ材
７１                          内部バス
７２                          高周波発信部、受信部
７３                          ＣＰＵ，演算部
７４                          ＲＯＭ，メモリ
７５                          入出力部
７６                          電源部
７７                          電池
７８                          小型ループアンテナ、小型フラットアンテナ
７９                          微弱電波
８１、８８、１０１，１０２，
１０３，１０４，１０５        窓ガラス構造体
８２、８３、９０、９３        窓ガラス材
８４、８９                    窓ガラス枠
８５                          窓ガラス錠前、ロック機構部
８６、９２                    ガラス破損検知センサ
８７                          ガラス破損個所
９５                          ＴＡ，無線集端装置
９６                          無線集端装置用屋内アンテナ
９７                          携帯無線アンテナ
９８                          情報通信網、インターネット網
９９                          ウエブサイト
１０６                        家宅、オフィス
１１１                        センサとの接点部
１１２、１１３                センサの接合部
１１７                        ガラス枠体との接着面
【図１】
2008123468.tif 000003
【図２】
2008123468.tif 000004
【図３】
2008123468.tif 000005
【図４】
2008123468.tif 000006
【図５】
2008123468.tif 000007
【図６】
2008123468.tif 000008
【図７】
2008123468.tif 000009
【図８】
2008123468.tif 000010
【図９】
2008123468.tif 000011
【図１０】
2008123468.tif 000012